(57)【要約】【課題】シートを回転ブラシに巻き付ける作業性を向上させることができる床用吸込具を提供することを課題とする。【解決手段】下面に吸込口３を有する吸込具ケース４と、吸込具ケース４の略中央に取付けられ、吸込口３に連通する吸込継手７と、吸込口３に臨ませて回転自在に配設された回転ブラシ５と、回転ブラシ５を回転させる駆動手段とを備えた床用吸込具において、前記床用吸込具は、回転ブラシ５にシート６を巻き付け可能に構成され、前記吸込口３より吸引された空気を回転ブラシ５の左右に分散する整流板１６を設ける。【選択図】         図１
2005095274.tif 000002
【特許請求の範囲】
【請求項１】
下面に吸込口を有する吸込具ケースと、吸込具ケースの略中央に取付けられ、吸込口に連通する吸込継手と、吸込口に臨ませて回転自在に配設された回転ブラシと、回転ブラシを回転させる駆動手段とを備えた床用吸込具において、前記床用吸込具は、回転ブラシにシートを巻き付け可能に構成され、前記吸込口より吸引された空気を回転ブラシの左右に分配する整流板を設けたことを特徴とする床用吸込具。
【請求項２】
前記整流板は、回転ブラシの下流側に形成され、吸込口と吸込継手との間を部分的に仕切る仕切壁により構成されていることを特徴とする請求項１記載の床用吸込具。
【請求項３】
前記仕切壁は、回転ブラシの中央部に対応する位置に配置されていることを特徴とする請求項２記載の床用吸込具。
【請求項４】
前記仕切壁の幅は、シートの幅と略同一に形成されていることを特徴とする請求項２または請求項３記載の床用吸込具。
【請求項５】
前記シートは、ウェットシートで構成されていることを特徴とする請求項３記載の床用吸込具。
【請求項６】
前記仕切壁の幅は、ウェットシートの幅よりも大きく形成されていることを特徴とする請求項５記載の床用吸込具。
【発明の詳細な説明】
【技術分野】
【０００１】
本発明は、電機掃除機等の床用吸込具に関し、特に回転ブラシを有する床用吸込具に関する。
【背景技術】
【０００２】
従来、電気掃除機の床用吸込具は、吸込口に毛のブラシ又はゴム製のブレードが設けられた回転ブラシを備えており、絨毯等を掃除する際には回転ブラシを回転させることにより絨毯等からごみを掻き取り掻き取ったごみを、床用吸込具の略中央に上下自在に且つ回転自在に取付けられ、吸込口に連通する吸込継手を介して掃除機本体側に吸引することにより効率的に掃除ができるようになされている（例えば、特許文献１参照）。
【特許文献１】特開昭５８−１５２５２２号公報
【発明の開示】
【発明が解決しようとする課題】
【０００３】
回転ブラシには、上述したように床面のごみを掻き取る働きがあるが、シートを巻き付けた回転ブラシを回転させることにより床面を磨くこともできる。しかしながら、回転ブラシにシートを巻き付ける際、回転ブラシを回転させるために掃除機本体を作動させると、吸込継手と連通している吸込口の略中央部から集中的にシートが吸込継手側に吸込まれてしまうため、シートを回転ブラシに巻き付ける作業が非常に困難なものであった
本発明は、このような課題を解決するためになされたものであり、シートを回転ブラシに巻き付ける作業性を向上させることができる床用吸込具を提供することを課題とする。
【課題を解決するための手段】
【０００４】
上記課題を解決するための第１の手段は、下面に吸込口を有する吸込具ケースと、吸込具ケースの略中央に上下自在に且つ回転自在に取付けられ、吸込口に連通する吸込継手と、吸込口に臨ませて回転自在に配設された回転ブラシと、回転ブラシを回転させる駆動手段とを備えた床用吸込具において、前記床用吸込具は、回転ブラシにシートを巻き付け可能に構成され、前記吸込口より吸引された空気を回転ブラシの左右に分配する整流板を設けたことを特徴とする。
【０００５】
上記課題を解決するための第１の手段において、前記整流板は、回転ブラシの下流側に形成され、吸込口と吸込継手との間を部分的に仕切る仕切壁により構成されていることが好ましい。
【０００６】
また、前記仕切壁は、回転ブラシの中央部に対応する位置に配置されていることが好ましい。
【０００７】
また、前記仕切壁の幅は、シートの幅と略同一に形成されていることが好ましい。
【０００８】
また、前記シートは、ウエットシートで構成されてもよい。
【０００９】
また、前記仕切壁の幅は、ウェットシートの幅よりも大きく形成されていることが好ましい。
【発明の効果】
【００１０】
本発明の請求項１の構成によると、吸込口より吸引された空気を回転ブラシの左右に分散しているため、吸込空気により回転ブラシに巻き付くシートが局部的に吸込継手側に吸
込まれてしまう虞がなく、回転ブラシにシートを容易に巻き付けることができる等の効果を奏する。
【００１１】
本発明の請求項２に構成によると、簡単な構成により吸込空気によりシートが局部的に吸込継手側に吸込まれてしまうことを防ぐことができる等の効果を奏する。
【００１２】
本発明の請求項３の構成によると、集中的にシートが吸込継手側に吸込まれ易い回転ブラシ中央部に対応する位置に仕切壁を設けているため、シートが局部的に吸込継手側に吸込まれてしまう虞がなく、回転ブラシにシートを容易に巻き付けることができる等の効果を奏する。
【００１３】
本発明の請求項４の構成によると、仕切壁の両側に開口する連通口からの吸引力によりシートを両側から引張った状態でシートを回転ブラシに巻き付けることができ、シートの回転ブラシへの巻き付け作業性を向上させることができる等の効果を奏する。
【００１４】
本発明の請求項５の構成によると、ウェットシートにより床にこびりついたごみを効率よく拭き取ることができると共に、回転させることによりウェットシートから飛び出た水分を仕切壁で捕捉することができ、掃除機本体の絶縁性に問題が生じることを防止することができる等の効果を奏する。
【００１５】
本発明の請求項６の構成によると、ウェットシートにより床にこびりついたごみを効率よく拭き取ることができると共に、回転させることによりウェットシートから飛び出た水分が仕切壁からはみ出すことがないので、水分を仕切壁で確実に捕捉することができ、掃除機本体の絶縁性に問題が生じることを防止することができる等の効果を奏する。
【発明を実施するための最良の形態】
【００１６】
本発明を実施するための最良の形態の床用吸込具を図１乃至図７に基づいて説明する。本発明の床用吸込具は、上ケース１と下ケース２からなって吸込口３が下方に形成された横長の吸込具ケース４と、吸込具ケース４の吸込口３に臨ませて吸込具ケース４に回転自在に支持された回転ブラシ５と、回転ブラシ５に巻き付けられるシート６と、吸込具ケース４の後面側略中央に上下自在に且つ回転自在に取付けられ、吸込口３に連通する吸込継手７とから構成されている（図１、図２、図７参照）。そして、吸込継手７が図示しない延長管やホースを介して掃除機本体に接続されるようになっている。
【００１７】
回転ブラシ５には、その芯体８の外周面にブラシ体９が等分間隔で長手方向に複数本装着されている。ブラシ体９は、ブラシ体９の根元部１０を芯体８の外周面に形成した溝１１に嵌め込むことで装着できるようになっている（図２参照）。また、回転ブラシ５は、吸込継手７に内蔵され、吸込空気により回転するタービン１２により、その駆動力が伝動ベルト１３を介して伝達されて回転駆動する（図１参照）。この回転ブラシ５が回転することで床面のごみが掻き取られ、吸込口３から効果的に吸込まれることにより効率よく掃除できる。
【００１８】
吸込口３と吸込継手７とを連通する空気流路１４は、吸込口３と吸込継手７との間の中央部を仕切る仕切壁１６により２つの流路に分散されている。仕切壁１６の両側に形成される空気流路１４の吸込口３との連通口１５は、回転ブラシ５の軸方向に対して左右２箇所に設けられている（図１参照）。仕切壁１６の幅は、図５に示すように回転ブラシ５に巻き付けられるシート６の幅と略同一になっており、シート６が直接連通口１５に臨まないようになっている。２箇所の連通口１５の夫々の断面積は略同一に形成されている。
【００１９】
絨毯等を掃除する際には回転ブラシ５を回転させることにより、絨毯等のごみを掻き取
り、掻き取ったごみを吸込口３から吸引することで効果的に掃除ができるが、床面を磨くことはできない。床面を効率よく磨くためにはシート６を巻き付けた回転ブラシ５を使用すればよい。
【００２０】
シート６は、長方形の不織布を使用し、短片の一端側にＶ字状に裁断した切込部１７を形成している。シート６を回転ブラシ５に装着する順序は、図５または図６に示すようにシート６を床に置き、床用吸込具を切込部１７と対向する側のシート６上に、吸込継手７が切込部１７と対向する側に向けて乗せる。この状態で掃除機本体の運転スイッチを入れて回転ブラシ５を回転させれば、回転する回転ブラシ５によってシート６は回転ブラシ５に自動的に絡み付き装着される。
【００２１】
この時、仕切壁１６により、吸込口３と吸込継手７とを連通する空気流路１４は２流路に分散されており、回転ブラシ５の中央部を通過する空気は回転ブラシ５の左右に分散されているため、吸込空気により回転ブラシ５に巻き付くシート６が局部的に吸込継手７側に吸込まれてしまう虞がなく、回転ブラシ５にシート６を容易に巻き付けることができる。また、空気流路１４の吸込口３との連通口１５は、回転ブラシ５に巻き付くシート６が臨まない位置に設けられているため、吸込空気によりシート６が局部的に吸込継手７側に吸込まれてしまうことを確実に防ぐことができ、確実に回転ブラシ５にシート６を容易に巻き付けることができる。さらに、連通口１５はシート６が臨まない位置のシート６の両側２箇所に設けられているため、連通口１５からの吸引力によりシート６を両側から引張った状態でシート６を回転ブラシ５に巻き付けることができ、シート６の回転ブラシ５への巻き付け作業性を向上させることができる。また、この２箇所の連通口１５の断面積は略同一に形成されているため、連通口１５からの吸引力によりシート６を両側から引張る力が略同一となり、シート６回転ブラシ５への巻き付け作業性をさらに向上させることができる。
【００２２】
このシート６装着時、回転ブラシ５は通常の掃除機がけ時の回転よりも低速回転するよう運転制御されており、シート６が勢いよく回転ブラシ５に巻き付いてシート６が破損することを防止するようにしている。
【００２３】
また、回転ブラシ５に巻き付くシート６の後端部には、切込部１７が設けられているため、シート６の後端部が剥がれた場合でも床面や吸込具ケース４に当たる面積が小さくなり、シート６の後端部があばれたり、吸込口３に吸込まれることによる異常音の発生が抑えられる。
【００２４】
尚、本発明の形態では回転ブラシ５は、吸込空気により回転するタービン１２の駆動力により回転させたが、これに限定されるものではない。専用のモータにより回転ブラシ５を回転させる構成であってもよい。
【００２５】
また、床にこびりついたごみを拭き取る場合には、ごみを水分で浮かして拭き取るウェットシートを使用する必要がある。ウェットシートを回転ブラシ５に巻き付ける際にも、上述したように容易に行うことができる。また、ウェットシートを巻き付けた回転ブラシ５を回転させることによりウェットシートから飛び出た水分が掃除機本体側に吸込まれて絶縁性に問題が生じる虞がある。しかしながら本発明の構成では、連通口１５はウェットシートが臨まない位置に設けられていると共に、２箇所の連通口１５間にはウェットシートの幅よりも大きい仕切壁１６が形成されているため、回転ブラシ５を回転させることによりウェットシートから飛び出た水分は仕切壁１６からはみ出すことがないので、連通口１５には到達させずに仕切壁１６で捕捉して床面に滴下させるか吸込空気により蒸発させることができ、掃除機本体の絶縁性の問題が生じることはない。
【図面の簡単な説明】
【００２６】
【図１】本発明を実施するための最良の形態の床用吸込具の平面図で、上ケースを取り外した状態で上面から見た図である。
【図２】同床用吸込具の側断面図である。
【図３】同床用吸込具の回転ブラシに巻き付けられるシートの外観図である。
【図４】同床用吸込具の回転ブラシにシートを巻き付ける状態を示す裏面図である。
【図５】同床用吸込具の回転ブラシにシートを巻き付ける状態を示す上面図で、上ケースを取り外した状態を示す。
【図６】同床用吸込具の回転ブラシにシートを巻き付ける状態を示す上面図である。
【図７】同床用吸込具の回転ブラシにシートを巻き付けた状態を示す側断面図である。
【符号の説明】
【００２７】
３      吸込口
４      吸込具ケース
５      回転ブラシ
６      シート
７      吸込継手
１４    空気流路
１６    仕切壁（整流板）
【図１】
2005095274.tif 000003
【図２】
2005095274.tif 000004
【図３】
2005095274.tif 000005
【図４】
2005095274.tif 000006
【図５】
2005095274.tif 000007
【図６】
2005095274.tif 000008
【図７】
2005095274.tif 000009